(57)【要約】【課題】自動改札装置の改札通路を通過する利用者が、各自自分に対して通過を許容する通知音を明確に認識できるようにして、改札通路のスムーズに通過させるようにする。【解決手段】複数の異なる通知音を出力するための通知音情報をＲＯＭ１２に記憶しておき、改札通路を通過しようとする利用者のカードＣから送信されるカード情報の内容を制御部１１が認識して媒体が有効か否かを判定し、有効の場合はＲＯＭ１２から通知音情報を順に読み出して利用者毎に異なる通知音をブザーか５ら出力する【選択図】        図１
2007058556.tif 000002
【特許請求の範囲】
【請求項１】
改札通路を通過しようとする利用者の媒体から情報を取得する取得手段と、取得した情報に基づいて媒体が有効か否かを判定する判定手段と、有効の場合は改札通路の通過を許容する通知信号を利用者に出力する信号出力手段を備えた自動改札装置において、
複数の異なる通知信号の情報を記憶する記憶手段を備え、
前記判定手段は媒体が有効と判定したとき、前記記憶手段から通知信号情報を順に読み出して信号出力手段から通知信号情報に対応する通知信号を出力させることで、利用者毎に通知信号が異なるようにしたことを特徴とする自動改札装置。
【請求項２】
請求項１に記載の自動改札装置において、
前記信号出力手段はブザーとし、前記通知信号は音色の異なる通知音としたことを特徴とする自動改札装置。
【請求項３】
請求項１に記載の自動改札装置において、
前記信号出力手段は発光手段とし、前記通知信号は色の異なる通知光としたことを特徴とする自動改札装置。
【発明の詳細な説明】
【技術分野】
【０００１】
本発明は、鉄道の駅やイベント会場等に設置される自動改札装置に関する。
【背景技術】
【０００２】
従来のこの種の自動改札装置では、開閉可能な扉を有する改札通路の進入側に設けたアンテナの電波放射領域内に利用者がカードをかざすと、カード情報が読み取られて有効性が判定され、有効の場合は改札通路の通過を許容することを通知するために通知音を「ピッ」と単発的に出力すると共に通過を許容する表示器を点灯し、無効の場合は通過不可であることを通知するために通知音を「ピッピッピッ・・・」と連続的に出力すると共に通過を拒絶する表示器を点灯するようにしている。（例えば、特許文献１参照）。
【特許文献１】特開平０７−２７２０３１号公報（段落「００３２」〜段落「００３８」、図１〜図３）
【発明の開示】
【発明が解決しようとする課題】
【０００３】
しかしながら、上述した従来の技術においては、改札通路の通過を許容するために出力される通知音（通知信号）は常に同じであるため、連続的に利用者が自動改札装置の通路を通過しようとする場合、通知音が自分の前の人に対するものか、自分に対するものなのかの判断がつきにくく、そのため自分に対する通知音を明確に認識できるように通路への進入のタイミングを遅らせるという行動をとる利用者が少なからずいて、このことが通路のスムーズな通過の妨げになるという問題がある。
【０００４】
本発明は、このような問題を解決することを課題とする。
【課題を解決するための手段】
【０００５】
そのため、本発明は、改札通路を通過しようとする利用者の媒体から情報を取得する取得手段と、取得した情報に基づいて媒体が有効か否かを判定する判定手段と、有効の場合は改札通路の通過を許容する通知信号を利用者に出力する信号出力手段を備えた自動改札装置において、複数の異なる通知信号の情報を記憶する記憶手段を備え、前記判定手段は媒体が有効と判定したとき、前記記憶手段から通知信号情報を順に読み出して信号出力手段から通知信号情報に対応する通知信号を出力させることで、利用者毎に通知信号が異なるようにしたことを特徴とする。
【発明の効果】
【０００６】
このようにした本発明は、改札通路の通過を許容する通知信号として、複数の異なる通知信号を繰返して出力するようにしているため、連続的に利用者が自動改札装置の改札通路を通過する場合、各自が自分に対して通過を許容する通知信号を明確に認識することが可能となり、これにより利用者は改札通路への進入のタイミングを遅らせるという行動をとる必要がなくなるので、改札通路のスムーズな通過を実現できるという効果が得られる。
【発明を実施するための最良の形態】
【０００７】
以下、図面を参照して本発明による自動改札装置の実施例を説明する。
【実施例】
【０００８】
図１は実施例の構成を示すブロック図、図２は実施例の外観を示す側面図である。
まず、図２について説明すると、１は自動改札装置の筐体で、この筐体１の前部と後部の側面に入退出用の改札通路を開閉するためのドア２ａ、２ｂを有しており、利用者は矢印で示したように図の右方から進入し、左方へ退出するように構成されている。
また、筐体１の進入側の上面にはアンテナ部３が配置されていて、このアンテナ部３を中心にした所定の範囲には利用者が所持するカード（媒体）Ｃとの間で無線通信によりデータを送受するための通信エリア４が形成されている。
【０００９】
５は通知音（通知信号）を出力するブザー（信号出力手段）で、アンテナ部３に付近に位置するように筐体１に設けられている。
６は改札通路への利用者の進入または改札通路からの退出あるいは通過を検知する複数のセンサ（検知器）で、筐体１の側面及びアーム７の所定の位置にそれぞれ取り付けられている。
【００１０】
また、筐体１の両側の側面には、利用者に対して所定の案内を放送するためのスピーカ８が取り付けられている。
９は装置全体の動作の制御を司る制御ユニット、１０は通信用のトランスミッタ（取得手段）で、両者とも筐体１内に設けられている。
次に、図１について説明する。
【００１１】
この図１に示したように制御ユニット９は、ＣＰＵからなる制御部（制御手段）１１を備え、この制御部１１に、制御用のプログラムデータ等を格納したＲＯＭ（記憶手段）１２と、カード情報等を一時的に格納するＲＡＭ（記憶手段）１３と、ドア２ａ及び２ｂを駆動するドアドライバ１４と、ブザー５を駆動するブザードライバ１５と、各センサ６の検知信号を増幅して取り入れる増幅器１６と、スピーカ８を駆動する音声ドライバ１７を接続した構成を有している。
【００１２】
本実施例においてＲＯＭ１２には、利用者に対して改札通路の通過を許容する通知信号として、例えば３つの音色の異なる通知音「ピッ」、「ポッ」、「パッ」を繰返して出力するための通知音情報や通過不可であることを通知する通知音情報、及びスピーカ８から通過可能または通過不可である旨の音声を出力するための音声情報も格納されている。
また、制御部１１は、ＲＯＭ１２に格納された制御用のプログラムデータに基づいて装置の動作を制御する他、トランスミッタ１０から送られてくるカード情報の内容を認識して、カードが有効か否かを判定する判定手段としても機能し、その判定結果に対応する通知音情報や音声情報をＲＯＭ１２から読み出してブザーやスピーカから通知音や音声を出力させるものとなっている。
【００１３】
この制御部１１は利用者のカードＣとの間でデータの送受信を行うトランスミッタ１０と接続されている。
トランスミッタ１０はマイクロコンピュータで構成され、導波管や同軸ケーブル等から成る給電線でアンテナ部３に接続されていて、周知の非接触式自動改札装置と同様にアンテナ部３を介してカードＣに駅名及び当日日付等のデータを送信すると共に、カードＣから送信されてくるカード情報を受信（取得）して制御部１１に送る機能を有している。
【００１４】
一方、カードＣは、無線通信機能を有する通常のＩＣカードと同様に、アンテナ部１８と、トランスミッタ１０と同様の機能を有する通信部１９と、ＲＯＭ及びＲＡＭからなるメモリ２０と、この通信部１９及びメモリ２０が接続された制御部２１と、電源２２を備えており、制御部２１はトランスミッタ１０からの送信要求に応じてメモリ２０からカードＣの有効期限やその他の情報（例えばカードＣが定期券の場合は乗車区間、カードＣがプリペイドカードの場合は金額等）を読み出し、カード情報として通信部１９からアンテナ部１８を介してトランスミッタ１０に１０に送信する機能を有している。
【００１５】
尚、電源２２は、カードＣの内部に持たず、自動改札装置から供給される電力波を受信して電源とするようにしてもよい。
上述した構成による実施例の作用について説明する。
まず、利用者が自動改札装置の改札通路に進入しようとしてアンテナ部３の通信エリア４内にカードＣをかざすと、トランスミッタ１０からの要求によりカードＣからカード情報がアンテナ部３を介してトランスミッタ１０に送られ、そのカード情報が制御ユニット９の制御部１１に転送される。
【００１６】
制御部１１は受信したカード情報の内容を認識し、それに基づいてカードＣの有効性を判定する。
その結果、有効の場合は制御部１１がＲＯＭ１２に記憶された通知音情報を読み出してブザードライバ１５に送り、これによりブザー５から利用者に改札通路の通過が可能であることを通知するための通知音を単発的に出力する。
【００１７】
また、制御部１１はＲＯＭ１２に記憶された音声情報を読み出し音声ドライバ１７に送り、これによりスピーカ８から通過可能である旨の音声が出力され、このときドア２ａが閉じられていれば、制御部１１からの指示に基づいてドアドライバがドア２ａを開放する。
このドア２ａの開状態は、利用者が改札通路から退出（通過）下ことをセンサ６が検知するまで保持される。
【００１８】
カードＣが無効のときは、通知音が連続的に出力され、ドア２ａは閉じられる。
そこで、今、複数の利用者が連続的に自動改札装置の改札通路を通過しようとする場合、これらの各利用者がそれぞれ有効なカードを携帯しているものとすると、先頭の利用者がアンテナ部３の通信エリア４内にカードＣをかざして、有効であることが制御部１１で判定された場合、制御部１１はＲＯＭ１２に記憶された通知音情報に従って通過を許容する通知音情報、例えば通知音「ピッ」の通知音情報を読み出してブザードライバ１５に送り、これによりブザー５から利用者に単発的な「ピッ」の通知音を出力する。
【００１９】
そして、次の利用者がアンテナ部３の通信エリア４内にカードＣをかざして、有効であることが制御部１１で判定されると、制御部１１はＲＯＭ１２から通知音「ポッ」の通知音情報を読み出してブザードライバ１５に送り、これによりブザー５から利用者に「ポッ」の通知音を出力する。
更に、次の利用者がアンテナ部３の通信エリア４内にカードＣをかざして、有効であることが制御部１１で判定されると、制御部１１はＲＯＭ１２から次の通知音「パッ」の通知音情報を読み出してブザードライバ１５に送り、これによりブザー５から利用者に「パッ」の通知音を出力し、次の利用者がアンテナ部３の通信エリア４内にカードＣをかざして、有効であることが制御部１１で判定されると、制御部１１はＲＯＭ１２から、再び通知音「ピッ」の通知音情報を読み出してブザードライバ１５に送り、これによりブザー５から利用者に「ピッ」の通知音を出力する。
【００２０】
このように本実施例では、例えば３つの音色の通知音「ピッ」、「ポッ」、「パッ」を順次繰返して利用者に出力するようにしているため、連続的に利用者が自動改札装置の改札通路を通過する場合、各自が自分に対して通過を許容する通知音を明確に認識することが可能となり、これにより利用者は改札通路への進入のタイミングを遅らせるという行動をとる必要がなくなるので、改札通路のスムーズな通過を実現できるという効果が得られる。
【００２１】
尚、改札通路の通過を許容する通知音は「ピッ」、「ポッ」、「パッ」に限らず、例えば「ド」、「レ」、「ミ」のような音色の異なる音でもよい。
また、音で報知する以外に、アンテナ部３等に発光器（発光手段）を設けて、例えば「紫」、「赤」、「黄」などのように異なる色の光を通知光として出力することも可能であり、無論、通知音と通知光を併用することも可能である。
【００２２】
これら通知音情報や通知光情報は必ずしもＲＯＭ１２に記憶させる必要はなく、ＲＡＭ１３に記憶させるものとしてもよい。
更に、上述した実施例ではカードＣから非接触でカード情報を取得する場合を例にして説明したが、カードや券等の媒体を装置内に取り込んで情報を読み取ってからその媒体を排出する自動改札装置にも適用可能である。
【図面の簡単な説明】
【００２３】
【図１】実施例の構成を示すブロック図
【図２】実施例の外観を示す側面図
【符号の説明】
【００２４】
１    筐体
２ａ，２ｂ  ドア
３    アンテナ部
４    通信エリア
５    ブザー
６    センサ
８    スピーカ
９    制御ユニット
１０  トランスミッタ
１１  制御部
１２  ＲＯＭ
１３  ＲＡＭ
１８  アンテナ部
１９  通信部
２０  メモリ
２１  制御部
【図１】
2007058556.tif 000003
【図２】
2007058556.tif 000004